(57)【要約】【課題】コンクリート二次製品据付け作業の精度均一化、及び、省力化を実現するための治具及びその治具を用いた工法を提供すること。【解決手段】コンクリート二次製品を据付ける際の据付け基面を形成する高さ調整材の表層を均すための治具であって、コンクリート二次製品を据付ける際の据付け基面における幅方向に沿って設けられた治具レールと、該治具レールの幅方向に沿って走行可能なように、前記治具レールに装着された走行コテ具と、からなり、前記走行コテ具の下端が高さ調整材の表層に接することを特徴とする、治具、及び、その治具を用いたコンクリート二次製品を据付ける際の据付け基面を形成する高さ調整材の表層の均し工法。【選択図】図１
2017040133.tif 000002
【特許請求の範囲】
【請求項１】
コンクリート二次製品を据付ける際の据付け基面を形成する高さ調整材の表層を均すための治具であって、
コンクリート二次製品を据付ける際の据付け基面における幅方向に沿って設けられた治具レールと、該治具レールの幅方向に沿って走行可能なように、前記治具レールに装着された走行コテ具と、からなり、
前記走行コテ具の下端が高さ調整材の表層に接することを特徴とする、治具。
【請求項２】
前記高さ調整材の表層に接する前記走行コテ具の下端は、ノコギリ歯状の屈曲部を備えることを特徴とする、請求項１記載の治具。
【請求項３】
請求項１、又は２記載の治具を用いた、コンクリート二次製品を据付ける際の据付け基面を形成する高さ調整材の表層の均し工法であって、
前記コンクリート二次製品を据付ける際の据付け基面の勾配やカーブに対応するように、前記治具を設置する工程と、
前記治具レール下に高さ調整材を敷き込み、押し固めて荒均しを行う工程と、
前記治具レールの幅方向に沿って走行コテ具を走行させて、高さ調整材の表層を掘削して均し、コンクリート二次製品を据付ける際の据付け基面に成形する工程と、
を含むコンクリート二次製品を据付ける際の据付け基面を形成する高さ調整材の表層の均し工法。
【発明の詳細な説明】
【技術分野】
【０００１】
本発明は、コンクリート二次製品を据付ける際の据付け基面を形成する敷モルタルや砂の表層均しに用いる治具、及び工法に関するものである。
【背景技術】
【０００２】
従来、コンクリート二次製品（歩車道境界ブロック、地先境界ブロック、Ｕ字溝、ベンチフリューム、消雪ブロック等）の据付け工事を行う際、ベースコンクリート、又は、砕石敷き転圧の上、コンクリート二次製品の高さを調節する為に敷モルタル又は砂等の高さ調整材を敷き均し、その上にコンクリート二次製品の据付けを行っている。
【０００３】
そして、その際の詳しい工程は、あらかじめ出した丁張りにより、コンクリート二次製品の高さ、通りに水糸を張り、その水糸によって、コンクリート二次製品の高さの寸法、及び、重量による沈み込み具合等を吟味し、コンクリート二次製品毎に、敷きモルタル、又は砂を木ゴテ等で水糸と平行に、又はコンクリート二次製品の幅方向に水平に均し、その後コンクリート二次製品を重機等で水糸に合わせて吊降ろす。そして、すでに据付け済みのコンクリート二次製品との目違い、水平、水糸との高さ、通り等を木槌やバール等で整えて完了するものである。
【発明の概要】
【発明が解決しようとする課題】
【０００４】
しかしながら、上記工程が一度でうまくいくことはなく、二度、三度とコンクリート二次製品を吊り外し、その度に敷きモルタルや砂を調整する事が多く、職人のコテで均す腕前や勘頼りが現状で、据付けのバラつき、精度が均一ではなく、一日の進歩状況が悪い。
【０００５】
本発明は上記実情を考慮したもので、その解決課題は、コンクリート二次製品据付け作業の精度均一化、及び、省力化を実現するための治具及びその治具を用いた工法を提供することである。
【課題を解決するための手段】
【０００６】
前記の課題を解決するための本発明は、コンクリート二次製品を据付ける際の据付け基面を形成する高さ調整材の表層を均すための治具であって、コンクリート二次製品を据付ける際の据付け基面における幅方向に沿って設けられた治具レールと、該治具レールの幅方向に沿って走行可能なように、前記治具レールに装着された走行コテ具と、からなり、前記走行コテ具の下端が高さ調整材の表層に接することを特徴とする。なお、前記幅方向とは、走行コテ具の進行方向である。
【０００７】
そして、据付けるコンクリート二次製品の誤差を吸収したり、コンクリート二次製品を木槌などで安定させやすくするためには、前記高さ調整材の表層に接する前記走行コテ具の下端は、ノコギリ歯状の屈曲部を備えることが好ましい。
【０００８】
そして、上記治具を用いた、コンクリート二次製品を据付ける際の据え付け基面を形成する高さ調整材の表層の均し工法は、前記コンクリート二次製品を据付ける際の据付け基面の勾配やカーブに対応するように、前記治具を設置する工程と、前記治具レール下に高さ調整材を敷き込み、押し固めて荒均しを行う工程と、前記治具レールの幅方向に沿って走行コテ具を走行させて、高さ調整材の表層を掘削して均し、コンクリート二次製品を据付ける際の据付け基面に成形する工程と、を含むことを特徴とする。
【発明の効果】
【０００９】
本発明の治具、及び、その治具を用いたコンクリート二次製品を据付ける際の据付け基面の均し工法では、コンクリート二次製品を据付ける際の基面における幅方向（走行コテ具の進行方向）に沿って治具レールを設け、その治具レールの幅方向に沿って走行可能なように、前記治具レール上に走行コテ具を装着してあるので、高さ調整材である敷モルタルや砂を誰でも簡単に一定の精度で走行コテ具によって均すことができると共に、作業の省力化を向上させることができる。
【００１０】
また、前記基面の表層を均す前記走行コテ具の下端は、ノコギリ歯状の屈曲部を備える構成であれば、高さ調整材である敷モルタルや砂等の表層を掘削した際の上面はノコギリ歯状になるため、重量物を載せた際に位置をずらしたりしやすいし、上部からの圧力で簡単に沈降させたりしやすい。そのため、据付け基面によってコンクリート二次製品のわずかな誤差を吸収したり、コンクリート二次製品を木槌などで安定させやすく、更に作業の省力化を向上させることができる。
【図面の簡単な説明】
【００１１】
【図１】本発明の治具全体及び動作状況を示す斜視図である。
【図２】本発明の治具における治具レール、レール吊ブラケット、固定ブラケットの縦断面図である。
【図３】本発明の治具における走行コテ具を幅方向走行先から走行元に向けて見た側面図である。
【図４】（イ）図は、本発明の治具によって掘削される前の高さ調整材の状態、（ロ）図は、本発明の治具によって高さ調整材の表層を掘削し、据付け基面に成形した状態、（ハ）図は、コンクリート二次製品を据付け基面上に載置した状態を示した概念図である。
【発明を実施するための形態】
【００１２】
以下、本発明の実施の形態を図１から図４を参照して詳細に説明する。まず、本発明の治具は、図１に示すように、コンクリート二次製品１６を据付ける際の高さ調整材１４の表層を均すための治具であって、治具レール１と、治具レール１の幅方向、言い換えるならば走行コテ具５の進行方向に沿って走行可能なように、治具レール１に装着された走行コテ具５と、からなる。
【００１３】
高さ調整材１４は、敷モルタルや空練モルタル、又は砂等からなるものであって、基礎１３であるベースコンクリート、又は、砕石敷き転圧の上に敷かれるものである。そして、その表層は、本発明の治具によって掘削され、据付け基面１５に成形されるものである。
【００１４】
治具レール１は、コンクリート二次製品１６を据付ける際の据付け基面１５における幅方向、言い換えるならば走行コテ具５の進行方向に沿って設けられるものであり、水準器８、８と、ゲージ１９、１９等を備えた略四角管状をなすものである。そして、両端、又は一方の端部に設置されたジャッキ台１８上に設けられたジャッキ１１及びその上部に取り付けられたレール載置台１０によって任意の高さに固定される。なお、その際には、丁張りによりコンクリート二次製品１６の高さ、通りに沿った基準水糸１２をあらかじめ張り、その基準水糸１２に、ゲージ１９、１９を合わせるように、ジャッキ１１、１１で高さを合わせると共に、水準器８、８で水平状態を確認しつつ、治具レール１内に一部挿入固定される固定板９と水平調整ネジ１７で水平に固定する。
【００１５】
そして、すでにコンクリート二次製品１６が一つ以上配置されていて、それに継続して次のコンクリート二次製品１６を据え付ける際には、図１に示すように、固定ブラケット３によって、治具レール１の他方の端部は固定する。
【００１６】
固定ブラケット３は、図２に示すように、雌ネジ３１、３１を備え、この雌ネジ３１に対応する雄ネジによってコンクリート二次製品１６に固定することができる。なお、この雄ネジは、図２では図示されていない。そして、その固定ブラケット３の上部には、レール吊ブラケット２を備え、レール吊ブラケット２は、回転固定部材２５によって左右に回転自在な状態で固定ブラケット３上に固定する。
【００１７】
レール吊ブラケット２は、図に示すように略四角筒形状をなし、内部に治具レール１が挿入可能なだけの中空部を有し、その中空部中で治具レール１を上下移動可能なように、コイルバネ等の弾性部材２１を備え、該弾性部材２１と、固定板９と、水平調整ネジ１７によって治具レール１の位置は固定することが可能となっている。
【００１８】
走行コテ具５は、図１に示すように、治具レール１の幅方向に沿って走行可能なように、装着されるものであって、図３に示すように、治具レール１の側面方向に沿ってカバー側壁５１、５１を備え、そのカバー側壁５１、５１は治具レール１を挟むように基板５２上に立設されている。そして、カバー側壁５１、５１の上下は、レール車輪５３と下受け部５４によって連結されており、レール車輪５３と下受け部５４の間に治具レール１が収まる構造をなしている。なお、レール車輪５３は、治具レール１の上面に接するものであって、走行コテ具５が治具レール１の幅方向に沿って走行しやすいように車輪を有するものである。そして、基板５２上には、その他、走行コテ具ゲージ６等を備えていてもよい。
【００１９】
そして、基板５２の下、言い換えるならば  走行コテ具５の下部には、高さ調整材１４の表層に接して掘削するハカマ７を備えている。ハカマ７は、図１、図３に示すように略くさび型形状をなすものであり、且つ、下端には、ノコギリ歯状の屈曲部７２を備える。
【００２０】
尚、コンクリート二次製品１６のサイズ等によって、高さ調整材１４の表層に接し均す高さは異なることもあるが、均す高さの調整は、例えば、連結孔７１等を用いて２つ以上のハカマ７を上下にずらした上で重ね合わせること等によって調整することもできる。
【００２１】
上記のような治具は、以下のようにして用いることができる。  まず、コンクリート二次製品１６を据付ける際の据付け基面１５の勾配やカーブに対応するように、治具を設置し、治具レール１の下、且つ、基礎１３の上に図４（イ）に示すように、高さ調整材１４を敷き込み、押し固めて荒均しを行う。そして、その後、治具レール１の幅方向に沿って走行コテ具５を走行させて、高さ調整材１４の表層を掘削して均し、コンクリート二次製品１６を据付ける際の据付け基面１５に成形する。
【００２２】
なお、高さ調整材１４の表層は、走行コテ具５の下端、言い換えるならば走行コテ具５の下部のハカマ７の下端がノコギリ歯状の屈曲部７２であれば、図４（ロ）に示すように、高さ調整材１４である敷モルタルや砂等を掘削した際の上面はノコギリ歯状になる。そのため、重量物を載せた際に位置をずらしたり、上部からの圧力で簡単に沈降したりしやすいものとなる。
【００２３】
そして、最終的には図４（ハ）に示すように、コンクリート二次製品１６を上記据付け基面１５上に重機等によって吊降ろし、木槌やバール等によって整え据付を完了する。
【００２４】
本発明の治具、及び、コンクリート二次製品１６を据付ける際の据付け基面１５を形成する高さ調整材１４の表層の均し工法は、上記実施形態に限定されるものではなく、その趣旨を逸脱しない範囲において適宜変更可能である。
【符号の説明】
【００２５】
１    治具レール
２    レール吊ブラケット
３    固定ブラケット
５    走行コテ具
６    走行コテ具ゲージ
７    ハカマ
８    水準器
９    固定板
１０  レール載置台
１１  ジャッキ
１２  基準水糸
１３  基礎
１４  高さ調整材
１５  据付け基面
１６  コンクリート二次製品
１７  水平調整ネジ
１８  ジャッキ台
１９  ゲージ
２１  弾性部材
２５  回転固定部材
３１  雌ネジ
７１  連結孔
７２  屈曲部
５１  カバー側壁
５２  基板
５３  レール車輪
５４  下受け部
【図１】
2017040133.tif 000003
【図２】
2017040133.tif 000004
【図３】
2017040133.tif 000005
【図４】
2017040133.tif 000006